(57)【要約】【課題】  浴室内だけでなく浴室外からも容易に窓を開閉操作することができると共に、感電する恐れのない浴室用電動窓装置を提供する。【解決手段】  浴室１に設けられた開閉可能な窓３と、該窓３を開閉する電動部４と、該電動部４を操作するために浴室１内に設けられた浴室内操作部５と、電動部４を操作するために浴室外に設けられた浴室外操作部６とを備え、浴室外操作部６に商用電源を直流低電圧電源に変換する電源変換部２１を設け、浴室外操作部６から直流低電圧電源を浴室内操作部５及び電動部４に供給するように配線している。【選択図】          図６
2006083535.tif 000002
【特許請求の範囲】
【請求項１】
浴室に設けられた開閉可能な窓と、該窓を開閉する電動部と、該電動部を操作するために浴室内に設けられた浴室内操作部と、電動部を操作するために浴室外に設けられた浴室外操作部とを備え、浴室外操作部に商用電源を直流低電圧電源に変換する電源変換部を設け、浴室外操作部から直流低電圧電源を浴室内操作部及び電動部に供給するように配線したことを特徴とする浴室用電動窓装置。
【発明の詳細な説明】
【技術分野】
【０００１】
本発明は、浴室用電動窓装置に係り、特に配線構造を改良した浴室用電動窓装置に関する。
【背景技術】
【０００２】
浴室においては、換気用として、開閉可能な窓を取付けることが行われている（例えば、特開２００３−１３８８３９号公報参照）。
【０００３】
【特許文献１】特開２００３−１３８８３９号公報
【発明の開示】
【発明が解決しようとする課題】
【０００４】
しかしながら、従来の浴室用の窓においては、手動で開閉するタイプが一般的であったため、窓の開閉の度に浴室内に入って窓の開閉操作を行わなければならず、手間がかかるという問題があった。また、この問題を解決するために浴室用の窓を電動式にすることが考えられるが、単に電動式にしただけではシャワー等の湯水がかかって漏電により感電する恐れがある。
【０００５】
本発明は、上記事情を考慮してなされたものであり、浴室内だけでなく浴室外からも容易に窓を開閉操作することができると共に、感電する恐れのない浴室用電動窓装置を提供することを目的とする。
【課題を解決するための手段】
【０００６】
本発明は、浴室に設けられた開閉可能な窓と、該窓を開閉する電動部と、該電動部を操作するために浴室内に設けられた浴室内操作部と、電動部を操作するために浴室外に設けられた浴室外操作部とを備え、浴室外操作部に商用電源を直流低電圧電源に変換する電源変換部を設け、浴室外操作部から直流低電圧電源を浴室内操作部及び電動部に供給するように配線したことを特徴とする。
【発明の効果】
【０００７】
本発明によれば、浴室に設けられた開閉可能な窓と、該窓を開閉する電動部と、該電動部を操作するために浴室内に設けられた浴室内操作部と、電動部を操作するために浴室外に設けられた浴室外操作部とを備え、浴室外操作部に商用電源を直流低電圧電源に変換する電源変換部を設け、浴室外操作部から直流低電圧電源を浴室内操作部及び電動部に供給するように配線したので、浴室内だけでなく浴室外からも容易に窓を開閉操作することができると共に、感電する恐れがなく、操作性及び安全性の向上が図れる。
【発明を実施するための最良の形態】
【０００８】
以下に、本発明を実施するための最良の形態について、添付図面を基に詳述する。図１は本発明の実施の形態である浴室用電動窓装置を概略的に示す斜視図、図２は窓に設けられる電動ユニットの概略的縦断面図、図３の（ａ）は窓の概略的縦断面図、（ｂ）はその電動ユニットに設けられた操作パネルの正面図、図４は窓の概略的横断面図、図５は壁スイッチの概略的正面図、図６は配線構造を示すブロック図である。
【０００９】
図１において、１は浴室で、この浴室１には浴室用電動窓装置２が設けられている。この浴室用電動窓装置２は、浴室１に設けられた開閉可能な窓３と、この窓３を開閉する電動部である電動ユニット４と、この電動ユニット４を操作するために浴室内に設けられた浴室内操作部である操作パネル５と、電動ユニット４を操作するために浴室外例えば脱衣所に設けられた浴室外操作部である壁スイッチ６とを備えている。
【００１０】
前記窓３は浴室の壁に設けられた外部と連通する開口部に取付けられている。実施例では窓３として、ガラスルーバー窓が例示されている。このガラスルーバー窓３は、図３ないし図４に示すように上枠７ａ、下枠７ｂ及び左右の縦枠７ｃ，７ｄからなる窓枠７と、この窓枠７内に多段に配置されると共にそれぞれ垂直回動可能に両端が軸支されたガラスルーバー８と、これらガラスルーバー８を連動して開閉するためのリンク機構９とを備えている。このリンク機構９を介してガラスルーバー８を開閉操作するために、窓枠７の室内面例えば一方の縦枠７ｄの室内面部に電動ユニット４が取付けられている。
【００１１】
この電動ユニット４は、図２に示すように、例えば合成樹脂製の本体カバー１０と、この本体カバー１０内に収容されたモータ（好ましくはギヤ付モータ）１１と、このモータ１１により回転駆動されるウオーム軸１２と、このウォーム軸１２に噛合して回動されるウォーム歯車１３と、このウォーム歯車１３に取付けられたレバー１４とを備え、このレバー１４の先端部が上記ガラスルーバー８のリンク機構９に連結されている。本体カバー１０は内部にモータ１１を取付けるためのモータスタンド１５を有している。本体カバーにはウォーム歯車１３を回転可能に支持すると共に本体カバー１０を窓枠７の室内面に取付けるためのホルダー部１６が設けられている。
【００１２】
前記ウォーム軸１２の先端部は本体カバー１０の端部を貫通して突出し、この突出部には停電時にウォーム軸１２を手動で回転操作してガラスルーバー８を開閉するための摘み部１７が取付けられている。前記モータ１１にはモータ１１及びその端子部１８を防水するためにモータカバー（防水ケース）１９が装着されている。電動ユニット４の正面部には防水構造の前記操作パネル（浴室内操作部）５が取付けられている。この操作パネル５には窓を開閉する（実施例ではガラスルーバーを開閉する）ための押ボタン式の開・停（停止）・閉スイッチ２０が設けられている。
【００１３】
一方、前記壁スイッチ（浴室外操作部）６は、浴室外例えば脱衣所の壁に取付けられている。この壁スイッチ６には、図６に示すように例えば交流１００Ｖの商用電源を例えば直流２４Ｖの直流低電圧電源に変換する電源変換部である例えばスイッチング電源２１が設けられ、この壁スイッチ６から直流低電圧電源を浴室内操作部である操作パネル５の開・停・閉スイッチ２０及び電動部である電動ユニット４のモータ１１に供給するように配線されている。
【００１４】
更に詳しく説明すると、壁スイッチ６には図５ないし図６に示すように設定時間後に窓を自動的に閉めるタイマー２２ａ付の開・停・閉スイッチ２２が設けられていると共に、この浴室外のタイマー付開・停・閉スイッチ２２及び浴室内の開・停・閉スイッチ２０からの信号を入力してモータ１１を制御するための制御部である制御回路２３が設けられている。換言すれば、スイッチング電源（電源変換部）２１から直流低電圧電源を制御回路（制御部）２３を介して壁スイッチ（浴室外操作部）６、浴室内の窓３の電動ユニット（電動部）４及び操作パネル（浴室内操作部）５に供給するように配線されている。
【００１５】
壁スイッチ６は例えば合成樹脂製の本体ケース２４を有し、この本体ケース２４内にスイッチ電源２１及び制御回路２３が設けられ、本体ケース２４の正面部にタイマー付の開・停・閉スイッチ２２が設けられている。なお、制御回路２３において、信号用ないし操作部用の電源として更に低い例えば直流５Ｖの直流低電圧電源に変換され、その５Ｖの直流低電圧電源が配線を介して壁スイッチ６及び操作パネル５に供給されるようになっている。
【００１６】
以上の構成からなる浴室１ないし浴室用電動窓装置２によれば、浴室１に設けられた開閉可能な窓３と、該窓３を開閉する電動ユニット４と、該電動ユニット４を操作するために浴室１内に設けられた操作パネル５と、電動ユニット４を操作するために浴室外に設けられた壁スイッチ６とを備え、壁スイッチ６に商用電源を直流低電圧電源に変換するスイッチング電源２１を設け、壁スイッチ６から直流低電圧電源を浴室窓用の電動ユニット４及びその操作パネル５に供給するように配線したので、浴室１内だけでなく浴室外からも容易に窓３を開閉操作することができると共に、感電する恐れがなく、操作性及び安全性の向上が図れる。
【００１７】
すなわち、浴室１内の窓３の駆動用及び操作スイッチ用として交流１００Ｖの商用電源を一切使用せず、直流２４Ｖの直流低電圧電源を使用するため、感電の恐れがなく、安全性の向上が図れる。また、浴室内と浴室外に操作部５，６があるため、入浴中や浴室の洗浄中等に浴室内で窓を容易に開閉することができ、好きな時に自然の風を感じること可能であり、また、浴室内に入ったり、足を濡らさずに浴室外例えば脱衣所から浴室１の窓３を容易に開閉することができ、浴室１内を容易に換気することができる。更に、タイマー２２ａにより窓３を所望の設定時間だけ開状態にした後に自動的に閉めることができるため、窓を閉め忘れる心配がない。
【００１８】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。浴室用の窓としては、ガラスルーバー窓以外に、例えばダブルルーバー窓、オーニング窓、縦すべり窓等であっても良い。電動ユニットは、レバーを換えることによりこれら複数種類の窓に適用できるようになっていても良い。また、浴室内操作部としては、電動ユニットに直接設けられていなくても良く、或いは浴室内の壁に設けられていても良い。電源変換部としては、スイッチング方式によって安定化されたスイッチング電源が好ましいが、他の方式例えばＣＶＴ方式やリニア方式のものであっても良い。
【図面の簡単な説明】
【００１９】
【図１】本発明の実施の形態である浴室用電動窓装置を概略的に示す斜視図である。
【図２】窓に設けられる電動ユニットの概略的縦断面図である。
【図３】（ａ）は窓の概略的縦断面図、（ｂ）はその電動ユニットに設けられた操作パネルの正面図である。
【図４】窓の概略的横断面図である。
【図５】壁スイッチの概略的正面図である。
【図６】配線構造を示すブロック図である。
【符号の説明】
【００２０】
１  浴室
２  浴室用電動窓装置
３  ガラスルーバー窓（窓）
４  電動ユニット（電動部）
５  操作パネル（浴室内操作部）
６  壁スイッチ（浴室外操作部）
２１  スイッチング電源（電源変換部）
【図１】
2006083535.tif 000003
【図２】
2006083535.tif 000004
【図３】
2006083535.tif 000005
【図４】
2006083535.tif 000006
【図５】
2006083535.tif 000007
【図６】
2006083535.tif 000008